(57)【要約】【課題】保冷対象物に加工を施すことなく使用することができ、身体への着脱や運動などによって保冷効果が低下することがなく、優れた保冷効果を得ることができる保冷具を提供する。【解決手段】保冷具１０は、袋状体１に高分子吸水剤を収容して形成された保冷材３と、保冷材３を着脱可能に包むためのシート状の包被材４と、包被材４を保冷対象物である帽子５に装着するための係止手段である両面粘着テープ６と、を備えている。帽子５の内面に両面粘着テープ６を用いて包被材４を装着する。そして、吸水膨張させた後、冷凍した保冷材３を包被材４で包み込み、突片４ａ，４ｂ同士を重ね合わせ、面ファスナ７ａ，７ｂ同士を係合させると、保冷具１０が帽子５内に固定される。この帽子５を人間の頭部Ｈに被れば、保冷材３の冷却作用により帽子５内の温度上昇を抑制することができる。【選択図】  図５
0003113543.tif 000002
【実用新案登録請求の範囲】
【請求項１】
袋状体に高分子吸水剤を収容して形成された保冷材と、前記保冷材の少なくとも一部を着脱可能に包む包被材と、前記包被材を保冷対象物に装着するための係止手段と、を備えたことを特徴とする保冷具。
【請求項２】
前記袋状体の少なくとも一部を透水性素材で形成した請求項１記載の保冷具。
【請求項３】
前記係止手段として、両面粘着シート、面ファスナ、係止ピンのいずれかを用いた請求項１または２記載の保冷具。
【考案の詳細な説明】
【技術分野】
【０００１】
本考案は、夏場などの気温の高い時期あるいは気温の高い場所などにおいて、防暑を目的として、帽子、着衣などの一部に着脱可能に取り付けて使用する保冷具に関する。
【背景技術】
【０００２】
夏場に野外で行われるスポーツ、イベントあるいは作業の際に日射病や熱中症などになるのを防止するとともに、高温下でも快適に過ごせるようにするため、人体の頭部を冷却する機能を備えた帽子が提案されている（例えば、特許文献１，２参照）。
【０００３】
特許文献１記載の帽子は、メッシュ状の表地と、防水性、撥水性を有する裏地との間に、吸水性および保水性を有する高分子繊維からなる不織布を封入して三重構造とした冷却用パッドを、表地側が額部分に当たるようにして、帽子の裏面に着脱自在に取り付けたものである。使用する場合、冷却用パッドを水に浸して引き上げ、雫が垂れない程度に軽く絞った後、帽子の裏面に取り付けた状態にして、頭部に着用する。
【０００４】
一方、特許文献２記載の帽子（冷却用帽体）は、通気性、通水性のある合成繊維織編物を用いた表地と、吸水性、保水性を有する不織布を用いた裏地とで帽体を縫製し、表地と裏地の間に、氷片を収納する収納部を形成したものである。収納部に氷片を収納した状態で当該帽子を着用すると、氷片によって頭部が冷却されるとともに、熱によって溶けた氷から生じる水が不織布に吸水、保水され、冷却効果を持続することができる。
【０００５】
【特許文献１】登録実用新案第３０５３９８８号公報
【特許文献２】登録実用新案第３０３２２５５号公報
【考案の開示】
【考案が解決しようとする課題】
【０００６】
特許文献１記載の帽子は、水を含浸させた冷却用パッドによって冷却効果を発生させるものであるが、水の冷却作用には限界があるため、冷却効果が長時間持続しない。特許文献２に記載の帽子（冷却用帽体）は、水より冷たい氷によって冷却作用を得ているため、特許文献１記載の帽子より冷却効果は優れているが、帽子を頭部に着脱するときや、帽子を着用した状態で頭を下げたりときなどに、収納部から氷が離脱して冷却効果が悪化することがある。また、帽子自体に収納部を設ける必要があるため、普段使用している帽子に直ちに利用することもできない。
【０００７】
本考案が解決しようとする課題は、保冷対象物に加工を施すことなく使用することができ、身体への着脱や運動などによって保冷効果が低下することがなく、優れた保冷効果を得ることができる保冷具を提供することにある。
【課題を解決するための手段】
【０００８】
本考案の保冷具は、袋状体に高分子吸水剤を収容して形成された保冷材と、前記保冷材の少なくとも一部を着脱可能に包む包被材と、前記包被材を保冷対象物に装着するための係止手段と、を備えたことを特徴とする。このような構成とすれば、冷蔵庫などで冷却した保冷材を、保冷対象物に装着された包被材で包んで取り付けることにより、優れた保冷効果を得ることができる。また、包被材が、保冷対象物に装着するための係止手段を有しているため、保冷対象物に加工を施すことなく使用することができる。さらに、保冷材の少なくとも一部が包被材で包まれていることにより、保冷材が動いたり、離脱したりしないので、身体への着脱や運動などによって保冷効果が低下することもない。
【０００９】
ここで、前記保冷材を形成する前記袋状体の少なくとも一部を透水性素材で形成することが望ましい。このような構成とすれば、透水性素材を通して袋状体内の高分子吸水剤へ水分を吸収させたり、高分子吸水剤が含浸した水分を蒸発させたりすることができる。従って、使用前の乾燥顆粒状の高分子吸水剤を収容した保冷材を用意しておき、使用前に水中に浸漬して吸水膨張させて使用することが可能となり、使用前の保冷材の保管、運搬が容易となる。また、吸水膨張した高分子吸水剤中の水分を蒸発させれば乾燥収縮して元の状態に戻るので、不使用保冷材の保管、運搬も容易となる。
【００１０】
一方、前記包被材を保冷対象物に着脱可能に装着するための前記係止手段としては、両面粘着シート、面ファスナ、係止ピンのいずれかを用いることができる。両面粘着シートや係止ピンを用いれば、保冷対象物に何ら加工を施すことなく包被材を係止することが可能となるため、普段使用している帽子や着衣などにも簡単に使用することができるようになる。面ファスナを用いれば、保冷対象物に対する着脱を反復できるようになるため、保冷具の要不要に応じた着脱が可能となるほか、包被材を交換したり、保冷対象物を洗濯したりする場合にも便利である。
【考案の効果】
【００１１】
本考案の保冷具によれば、保冷対象物に加工を施すことなく使用することができ、身体への着脱や運動などによって保冷効果が低下することがなく、優れた保冷効果を得ることができる。
【考案を実施するための最良の形態】
【００１２】
以下、図面に基づいて本考案の実施の形態について説明する。図１は本考案の実施の形態である保冷具を示す斜視図、図２は図１におけるＡ−Ａ線断面図、図３は図１に示す保冷具において包被材を展開した状態を示す図、図４は図１に示す保冷具の使用手順を示す図、図５は図１に示す保冷具の使用状態を示す図である。
【００１３】
図１〜図３に示すように、本考案の保冷具１０は、袋状体１に高分子吸水剤２を収容して形成された保冷材３と、保冷材３を着脱可能に包むためのシート状の包被材４と、包被材４を保冷対象物である帽子５に装着するための係止手段である両面粘着テープ６と、を備えている。図３に示すように、包被材４は略長方形状であり、その対向する短辺部分にそれぞれ突片４ａ，４ｂが形成され、図２に示すように、突片４ａ，４ｂ同士を重ね合わせたときに対向する面に互いに係脱可能な面ファスナ７ａ，７ｂが固着されている。
【００１４】
保冷材３を形成する袋状体１、包被材４はいずれも透水性素材で形成されている。透水性素材としては、不織紙、特殊ポリエステルと特殊ポリプロピレンとを貼り合わせてなる不織布や、ポリエステル・ポリエチレンからなる不織布を用いることができる。袋状体１内に収容される高分子吸水剤２としては、ポリアクリル酸ナトリウム架橋体を用いることができる。なお、これらは一例であって、袋状体１、高分子吸水剤２を限定するものではない。
【００１５】
未使用の保冷具１０は、図１，図２に示すように、粘着防止用の保護シート６ａが貼着された状態にある両面粘着テープ６を上にした包被材４で保冷材３を巻くようにして包み込み、包被材４の突片４ａ，４ｂ同士を重ね合わせて面ファスナ７ａ，７ｂで係止されている。突片４ａ，４ｂとともに面ファスナ７ａ，７ｂを引き離すと、図３に示すように、包被材４が展開され、保冷材３が取り出し可能となる。このとき保冷材３内の高分子吸水剤２は水分を含まず、乾燥した微細な顆粒状態にある。
【００１６】
ここで、図４，図５を参照して、保冷具１０の使い方について説明する。図４は図１に示す保冷具の使用手順を示す図、図５は図１に示す保冷具の使用状態を示す図である。前述したように、展開された包被材４から取り出した保冷材３を、図４（ａ）に示すように、容器８内の水Ｗに浸漬すると、透水性素材で形成された袋状体１を通して内部へ染み込んだ水Ｗを高分子吸水剤２が吸収して膨張する。この後、水Ｗから引き上げた保冷材３を、図４（ｂ）に示すように、冷蔵庫１１に入れて冷凍する。このとき、予冷材９も同様の手順で吸水膨張、冷凍する。予冷材９は保冷材３とほぼ同じ構造を有し、形状が異なる冷却材である。
【００１７】
次に、図４（ｃ）に示すように、冷蔵庫１１内で冷凍した予冷材９および複数の保冷材３を保冷箱１２内に収容し、蓋１２ａを閉止する。予冷材９には、複数の折り曲げ部９ａが設けられているため、保冷箱１２の内壁に沿って折り曲げることができる。保冷箱１２収容された保冷材３は予冷材９によって冷凍状態に保たれたまま使用場所まで運搬することができる。
【００１８】
次に、図３に示すように、保冷材３を取り外した状態にある包被材４の両面粘着テープ６の保護シート６ａを剥がし、露出した両面粘着テープ６の粘着面を、保冷対象物である帽子５の内面に貼着することによって、包被材４を装着する。これにより、包被材４は、図２に示した状態と表裏を逆にした状態で折り曲げ、面ファスナ７ａ，７ｂ同士を係合させてり、分離させたりすることが可能となる。従って、保冷箱１２から取り出した保冷材３を、図５に示すように、包被材４で包み込み、突片４ａ，４ｂ同士を重ね合わせ、面ファスナ７ａ，７ｂ同士を係合させると、保冷具１０全体が帽子５内に固定される。この帽子５を人間の頭部Ｈに被れば、保冷具１０内の保冷材３の冷却作用により帽子５内の温度上昇が抑制され、快適な状態に保つことができる。
【００１９】
このように、冷蔵庫１１で冷却した保冷材３を、保冷対象物である帽子５に装着された包被材４で包んで取り付けることにより、優れた保冷効果を得ることができる。また、包被材４が、帽子５に装着するための両面粘着テープ６を有しているため、帽子５に加工を施すことなく使用することができる。さらに、保冷材３は包被材４で包まれているため、帽子５が動いても保冷材３が動いたり、離脱したりしない。従って、頭部Ｈへの帽子５の着脱や、帽子５を被った状態での運動などによって保冷効果が低下することもない。
【００２０】
また、保冷材３を形成する袋状体１は透水性素材で形成されているため、袋状体１を通して、その内部の高分子吸水剤２へ水分を吸収させたり、高分子吸水剤２が含浸した水分を蒸発させたりすることができる。従って、図３で示したように、使用前の乾燥顆粒状の高分子吸水剤２が収容された保冷材３を用意しておき、使用前に水Ｗ中に浸漬して吸水膨張させて使用することができるため、使用前の保冷材３の保管、運搬が容易となる。また、吸水膨張した高分子吸水剤２中の水分を蒸発させれば乾燥収縮して元の状態に戻るので、不使用の保冷材３の保管、運搬も容易である。
【００２１】
また、保冷具１０において、突片４ａ，４ｂの面ファスナ７ａ，７ｂを引き離して包被材４を開けば、保冷材３を容易に着脱することができる。従って、図４（ｃ）で示したように、予め冷凍した複数の保冷材３を予冷材９とともに保冷箱１２に収容したものを携帯しておけば、時間の経過により帽子５内において冷却作用を失った保冷材３を、保冷箱１２中の冷凍した保冷材３と取り替えることにより、優れた保冷効果を持続させることができる。
【００２２】
次に、図６〜図８を参照して、その他の実施の形態について説明する。なお、図６〜図８中において図１〜図５に示す符号と同符合を付した部分は、保冷具１０の構成部分と同じ機能、効果を有する部分であるため、説明を省略する。
【００２３】
図６に示す保冷具２０においては、包被材４を帽子５に装着する手段として、互いに係脱可能な面ファスナ２１ａ，２１ｂを用いている。このような構成とすれば、保冷具２０が不要となったときは、面ファスナ２１ａのみを帽子５に残して包被材４および保冷材３を取り外すことができるため、保冷具２０の要不要に迅速に対応することができ、便利である。その他の部分の機能、効果などは保冷具１０と同様である。
【００２４】
図７に示す保冷具３０においては、包被材４を帽子５に装着する手段として、係止ピン３１を用いている。係止ピン３１を帽子５の外面から内部に向かって挿入するとともにその先端を包被材４に差し込むと、先端の抜け止め部３１ａにより包被材４が帽子５に装着される。この後、保冷具を３を包被材４で包んで、突片４ａ，４ｂの面ファスナ７ａ，７ｂを係合させれば、取り付けが完了する。係止ピン３１を用いれば、帽子５の内面状況に影響を受けることなく、包被材４を確実に装着することができる。また、係止ピン３１を合成樹脂などの非金属素材で形成すれば落雷の危険性も回避することができる。その他の部分の機能、効果などは保冷具１０と同様である。
【００２５】
図８に示す実施形態においては、帽子５の内面に形成されたポケット部１３ａに保冷材３が収容されている。保冷材３は、ポケット部１３ａの開口部１３ｂから出し入れ可能であるため、前述した実施形態と同様、冷却作用を失った保冷材３の取り替えも簡単である。その他の部分の機能、効果などは保冷具１０と同様である。
【産業上の利用可能性】
【００２６】
本考案の保冷具は、夏場の暑さなどから身を守る手段として、帽子や衣服に取り付けて広く利用することができる。
【図面の簡単な説明】
【００２７】
【図１】本考案の実施の形態である保冷具を示す斜視図である。
【図２】図１におけるＡ−Ａ線断面図である。
【図３】図１に示す保冷具において包被材を展開した状態を示す図である。
【図４】図１に示す保冷具の使用手順を示す図である。
【図５】図１に示す保冷具の使用状態を示す図である。
【図６】その他の実施の形態を示す図である。
【図７】その他の実施の形態を示す図である。
【図８】その他の実施の形態を示す図である。
【符号の説明】
【００２８】
１  袋状体
２  高分子吸水剤
３  保冷材
４  包被材
４ａ，４ｂ  突片
５，１３  帽子
６  両面粘着テープ
６ａ  保護シート
７ａ，７ｂ，２１ａ，２１ｂ  面ファスナ
８  容器
９  予冷材
９ａ  折り曲げ部
１０，２０，３０  保冷具
１１  冷蔵庫
１２  保冷箱
１２ａ  蓋
１３ａ  ポケット部
１３ｂ  開口部
３１  係止ピン
３１ａ  抜け止め部
Ｈ  頭部
Ｗ  水
【図１】
0003113543.tif 000003
【図２】
0003113543.tif 000004
【図３】
0003113543.tif 000005
【図４】
0003113543.tif 000006
【図５】
0003113543.tif 000007
【図６】
0003113543.tif 000008
【図７】
0003113543.tif 000009
【図８】
0003113543.tif 000010